(57)【要約】【課題】受信状態が悪い場合であっても、正確にデジタル信号を復調可能な受信装置、および通信システムを提供する。【解決手段】誤り訂正情報を含むデジタル信号を無線方式で送信する送信装置２と、受信したデジタル信号に含まれる誤り訂正情報に基づいて、当該デジタル信号を誤り訂正処理する複数の受信系、たとえば第１の受信系３１−１および第２の受信系３１−２と、複数の受信系から出力された誤り訂正処理の結果に基づいて、複数の受信系から出力された完全に誤り訂正処理されたデジタル信号を選択する選択回路３７とを設ける。【選択図】　図１
2004015259.tif 000002
【特許請求の範囲】
【請求項１】
誤り訂正情報を含むデジタル信号を無線方式で受信する受信装置であって、
受信した前記デジタル信号に含まれる前記誤り訂正情報に基づいて、当該デジタル信号を誤り訂正処理する複数の受信手段と、
前記複数の受信手段から出力された前記誤り訂正処理の結果に基づいて、前記複数の受信手段から出力された前記誤り訂正処理が行われたデジタル信号を選択する選択手段とを有する
受信装置。
【請求項２】
前記選択手段は、前記複数の受信手段から出力された前記誤り訂正処理結果に基づいて、前記複数の受信手段から出力されたデジタル信号の内、完全に誤り訂正処理が行われたデジタル信号を選択する
請求項１に記載の受信装置。
【請求項３】
誤り訂正情報を含むデジタル信号を無線方式で送信する送信装置と、前記デジタル信号を受信する受信装置とを有する通信システムであって、
前記受信装置は、
受信した前記デジタル信号に含まれる前記誤り訂正情報に基づいて、当該デジタル信号を誤り訂正処理する複数の受信手段と、
前記複数の受信手段から出力された前記誤り訂正処理の結果に基づいて、前記複数の受信手段から出力された前記誤り訂正処理が行われたデジタル信号を選択する選択手段とを有する
通信システム。
【発明の詳細な説明】
【０００１】
【発明の属する技術分野】
本発明は、たとえば、送信装置から送信される誤り訂正情報を含むデジタル信号を無線方式で受信する受信装置と、送信装置と受信装置とを有する通信システムに関するものである。
【０００２】
【従来の技術】
図３は、従来の受信装置を有する通信システムの全体構成図である。
従来、たとえば図３に示すように、送信装置２ａから送信されたデジタル信号を含む無線電波を弱電界やマルチパス等により受信状態が悪い場合であっても、良好に受信できるように複数の受信系を設けたダイバシチ方式の受信装置３ａが知られている。
【０００３】
上述の従来のダイバシチ方式の受信装置３ａは、たとえば図３に示すように、第１の受信系３１ａ−１および第２の受信系３１ａ−２により受信し、受信強度の強いほうの受信系から出力されたデジタル信号を所定の処理を行う。
【０００４】
具体的には、受信装置３ａは、第１の受信系３１ａ−１では、アンテナＡＴ１が送信装置２ａから送信された無線電波をＲＦ（Ｒａｄｉｏ　ｆｒｅｑｕｅｎｃｙ）信号に変換して出力し、ＲＦ増幅回路３２ａ−１はＲＦ信号を増幅し、周波数変換回路３３ａ−１は増幅されたＲＦ信号をＩＦ（Ｉｎｔｅｒｍｅｄｉａｔｅ　ｆｒｅｑｕｅｎｃｙ）信号に変換し、ＩＦ増幅回路３４ａ−１はＩＦ信号を増幅し、復調回路３５ａ−１はＩＦ信号に基づいて復調し選択回路３７ａに出力する。
【０００５】
一方、たとえば第１の受信系３１ａ−１と相関の少ない第２の受信系３１ａ−２は、同様な機能を有する構成要素を備え、所定の処理を行う。第２の受信系３１ａ−２は、第１の受信系３１ａ−１と同様な構成なので説明を省略する。
【０００６】
選択回路３７ａでは、たとえばＩＦ増幅回路３４ａ−１およびＩＦ増幅回路３４ａ−２から出力された無線電波の受信強度に関する情報に基づいて、受信強度が強い方の受信系から出力された信号を選択し、誤り訂正デコーダ３６ａに出力する。
誤り訂正デコーダ３６ａは、その信号に基づいて所定の誤り訂正処理を行い、Ｄ／Ａ（Ｄｉｇｉｔａｌ　／　ａｎａｌｏｇ変換）３８ａはデジタル信号からアナログ信号に変換して、たとえば音声信号を出力する。
【０００７】
【発明が解決しようとする課題】
しかし、たとえば弱電界時等の伝搬環境の悪い場合に、上述した従来の受信装置３ａでは、受信強度の強い受信系から出力された信号に基づいて復調したデジタル信号が誤りがないとは限らない。
また、受信装置３ａでは、そのデジタル信号を誤り訂正処理により完全に誤り訂正できず、不完全な音声信号を出力してしまう場合がある。
【０００８】
本発明は、かかる事情に鑑みてなされたものであり、その目的は、受信状態が悪い場合であっても、正確にデジタル信号を復調可能な受信装置、および通信システムを提供することである。
【０００９】
【課題を解決するための手段】
前記目的を達成するために、第１の発明の受信装置は、送信装置から送信される誤り訂正情報を含むデジタル信号を無線方式で受信する受信装置であって、受信した前記デジタル信号に含まれる前記誤り訂正情報に基づいて、当該デジタル信号を誤り訂正処理する複数の受信手段と、前記複数の受信手段から出力された前記誤り訂正処理の結果に基づいて、前記複数の受信手段から出力された前記誤り訂正処理が行われたデジタル信号を選択する選択手段とを有する。
【００１０】
第１の発明の受信装置によれば、複数の受信手段では、送信装置から送信される誤り訂正情報を含むデジタル信号を無線方式で受信したデジタル信号に含まれる誤り訂正情報に基づいて、当該デジタル信号が誤り訂正処理される。
選択手段では、複数の受信手段から出力された誤り訂正処理の結果に基づいて、複数の受信手段から出力された誤り訂正処理が行われたデジタル信号が選択される。
【００１１】
好適には、前記選択手段は、前記複数の受信手段から出力された前記誤り訂正処理結果に基づいて、前記複数の受信手段から出力されたデジタル信号の内、完全に誤り訂正処理が行われたデジタル信号を選択する。
【００１２】
さらに、前記目的を達成するために、第２の発明の通信システムは、誤り訂正情報を含むデジタル信号を無線方式で送信する送信装置と、前記デジタル信号を受信する受信装置とを有する通信システムであって、前記受信装置は、受信した前記デジタル信号に含まれる前記誤り訂正情報に基づいて、当該デジタル信号を誤り訂正処理する複数の受信手段と、前記複数の受信手段から出力された前記誤り訂正処理の結果に基づいて、前記複数の受信手段から出力された前記誤り訂正処理が行われたデジタル信号を選択する選択手段とを有する。
【００１３】
【発明の実施の形態】
図１は、本発明に係る通信システムの一実施の形態を示す全体構成図である。本実施の形態に係る通信システム１は、図１に示すように、送信装置２および受信装置３を有する。
【００１４】
送信装置２は、たとえば、所定の方式のデジタル信号を生成し、そのデジタル信号を含む無線電波を送信する。受信装置３は、その無線電波を受信し、無線電波に含まれるデジタル信号に基づいて所定の処理を行う。
【００１５】
送信装置２は、所定のフレーム構造、所定のフレーム同期方式、誤り訂正方式のデジタル信号を送信する。
図２は、図１に示した送信装置から送信されるデジタル信号のフォーマットの一具体例を示す図である。送信装置２は、たとえば図２に示すようなフォーマットのデジタル信号ｓを、送信モジュール（フレーム）単位で送信する。
【００１６】
デジタル信号ｓは、図２に示すように、フレーム同期信号ｓ１０１、データｓ１０２、誤り訂正情報ｓ１０３等を有する。
【００１７】
フレーム同期信号ｓ１０１は、受信装置３においてフレーム同期をとる際に参照される信号である。
データｓ１０２は、送信される所望のデータである。
【００１８】
誤り訂正情報ｓ１０３は、受信装置３において復調および所定の誤り訂正処理を行う際に参照されるデータである。
デジタル信号ｓは、上述した形態に限られるものではない。
【００１９】
本実施の形態に係る受信装置３は、たとえば図１に示すように、第１の受信系３１−１、第２の受信系３１−２、選択回路３７、およびＤ／Ａ３８を含む。
選択回路３７は、本発明に係る選択手段に相当する。
【００２０】
第１の受信系３１−１は、図１に示すように、ＲＦ増幅回路３２−１、周波数変換回路３３−１、ＩＦ増幅回路３４−１、復調回路３５−１、および誤り訂正デコーダ３６−１を有する。
【００２１】
ＲＦ増幅回路３２−１は、送信装置２から送信された無線電波に基づいてアンテナＡＴ１により出力されたＲＦ信号を増幅し、周波数変換回路３３−１に出力する。
周波数変換回路３３−１は、ＲＦ増幅回路３２−１から出力されたＲＦ信号を所定の中間周波数の信号（中間周波信号、ＩＦ信号とも言う）に変換して出力する。
【００２２】
ＩＦ増幅回路３４−１は、周波数変換回路３３−１から出力されたＩＦ信号を、所定のレベルまで増幅し復調回路３５−１に出力する。
復調回路３５−１は、ＩＦ増幅回路３４−１から出力された信号を、所定の復調方式で復調し、誤り訂正デコーダ３６−１に出力する。
【００２３】
誤り訂正デコーダ３６−１は、復調回路３５−１から出力された信号に基づいて、所定の誤り訂正処理を行いデジタル信号を選択回路３７に出力する。具体的には、誤り訂正デコーダ３６−１は、誤り訂正情報ｓ１０３に応じて誤り訂正処理を行う。
また、誤り訂正デコーダ３６−１は、上述の所定の誤り訂正処理の結果、たとえば完全に誤り訂正されたか否かを示すデータを選択回路３７に出力する。
【００２４】
通信システム１において、送信装置２は所定のデータを所定の誤り訂正符号を用いて符号化し、受信装置３はその所定の誤り訂正符号に基づいて所定の誤り訂正処理を行う。具体的には、誤り訂正デコーダ３６−１は、所定の訂正符号に基づいて所定の誤り訂正処理を行う。
【００２５】
たとえば誤り訂正符号としては、ＢＣＨ（Ｂｏｓｅ　Ｃｈａｕｄｈｕｒｉ　Ｈｏｃｑｕｅｎｇｈｅｍ）符号、リードソロモン符号、畳込み符号（ビタビ復号）、ターボ符号等を用いる。
【００２６】
ＢＣＨ符号は、複数ビットの誤りを訂正する符号を構成することができ、ランダムなビット誤りに対して訂正能力が高いブロック符号である。
【００２７】
リードソロモン（Ｒｅｅｄ−Ｓｏｌｏｍｏｎ）符号は、ＢＣＨ符号の一種であり、元のデータに複数のチェックビットを付加したデータブロックを訂正単位としたブロック符号で、バースト誤りの検出と訂正を効率よく行う。
【００２８】
畳込み符号は、連続して送られるデータに対して符号化を行う場合に適した方式であり、たとえばｋ段のシフトレジスタ、ｍｏｄ２、加算器、およびスイッチにより生成することができる。
【００２９】
ビタビ（Ｖｉｔｅｒｂｉ）復号化は、畳込み符号を復号するための復号方式であり、最尤復号方式を基礎とする。
【００３０】
ターボ符号は、シャノン限界に近い伝送特性を実現する誤り訂正符号化方式であり、連接符号化と繰返し復号化を用いる。
たとえば、ターボ符号は、情報系列およびそれを並び替えた系列をそれぞれ要素符号器で符号化した系列をつないで符号語を作り出す連接符号化と、それぞれの要素符号に対応した復号を、他方の復号結果を利用しながら繰り返し行う繰り返し復号により特徴づけられる。
【００３１】
また、誤り訂正符号方式として、たとえばリードソロモン符号を用いた外符号と、たとえば畳込み符号を用いた内符号とにより構成される連接符号（Ｃｏｎｃａｔｅｎａｔｅｄ　ｃｏｄｅ）を用いてもよい。
【００３２】
本実施の形態に係る通信システム１では、たとえば送信装置２は、所定のデータを所定の送信モジュール（フレーム）単位で、上述した所定の誤り訂正符号方式で符号化したデジタル信号ｓを送信する。受信装置３は、所定の送信モジュール単位で、上述した所定の誤り訂正符号方式で、誤り訂正処理を行う。
【００３３】
第２の受信系３１−２は、図１に示すように、ＲＦ増幅回路３２−２、周波数変換回路３３−２、ＩＦ増幅回路３４−２、復調回路３５−２、および誤り訂正デコーダ３６−２を有する。
【００３４】
第２の受信系３１−２は、第１の受信系３１−１と相関が少ない。
第２の受信系３１−２それぞれの構成要素は、第１の受信系３１−１それぞれの構成要素と同様な機能を有するので説明を省略する。
【００３５】
選択回路３７は、複数の受信系から出力された誤り訂正処理の結果に基づいて、複数の受信系から出力された、たとえば完全に誤り訂正処理が行われたデジタル信号を選択する。
【００３６】
具体的には、選択回路３７は、所定のフレーム単位で、第１の受信系３１−１および第２の受信系３１−２から出力された誤り訂正処理の結果、具体的には完全に訂正処理されたか否かを示すデータに基づいて、第１の受信系３１−１および第２の受信系３１−２から出力されたデジタル信号の内、完全に誤り訂正処理が行われたデジタル信号を選択して、Ｄ／Ａ３８に出力する。
【００３７】
Ｄ／Ａ３８は、選択回路３７から出力された、誤り訂正処理されたデジタル信号を、所定の方式でアナログ信号に変換し出力する。
たとえば、送信装置２が、音声信号をデジタル化したデータｓ１０２を送信した場合には、Ｄ／Ａ３８はデータｓ１０２に基づいて音声信号を出力する。
【００３８】
上述した構成の受信装置３および送信装置２を有する通信システム１の動作を簡単に説明する。
【００３９】
送信装置２では、たとえば音声信号をデジタル化して、所定の誤り符号化方式で符号化して所定の誤り訂正情報を含むデジタル信号を生成し無線信号として送信する。
【００４０】
受信装置３では、複数の受信系、たとえば第１の受信系３１−１および第２の受信系３１−２により、受信したデジタル信号に含まれる誤り訂正情報に基づいて、当該デジタル信号の誤り訂正処理が行われ、誤り訂正処理の結果が選択回路３７に出力される。
【００４１】
具体的には、第１の受信系３１−１において、ＲＦ増幅回路３２−１では送信装置２から送信された無線電波に基づいてアンテナＡＴ１により出力されたＲＦ信号が増幅され、周波数変換回路３３−１ではＲＦ信号がＩＦ信号に変換され、ＩＦ増幅回路３４−１ではＩＦ信号が増幅され、復調回路３５−１ではＩＦ信号が所定の方式により復調され、誤り訂正デコーダ３６−１では復調回路３５−１から出力された信号に基づいて、所定の誤り訂正処理が行われる。第２の受信系３１−２においても同様な動作が行われる。
【００４２】
選択回路３７では、第１の受信系３１−１および第２の受信系３１−２から出力された誤り訂正処理の結果に基づいて、第１の受信系３１−１および第２の受信系３１−２から出力されたデジタル信号の内、完全に誤り訂正処理が行われたデジタル信号が選択され出力される。
【００４３】
Ｄ／Ａ３８では、そのデジタル信号がアナログ信号に変換され、所定の音声信号が出力される。
【００４４】
以上説明したように、選択回路３７では、第１の受信系３１−１および第２の受信系３１−２から出力された誤り訂正処理の結果に基づいて、完全に誤り訂正したデジタル信号を出力するので、たとえば弱電界時等の受信状態が悪い場合であっても、正確にデジタル信号を復調可能な受信装置、および通信システムを提供することができる。
【００４５】
なお、本発明は本実施の形態に限られるものではなく、任意好適な種々の改変が可能である。
たとえば、上述の実施の形態において、選択回路３７では、複数の受信系から出力された、誤り訂正処理の結果に基づいて完全に誤り訂正したデジタル信号を選択して出力したが、この形態に限られるものではない。
たとえば、選択回路３７は、誤り訂正結果に基づいてフレーム単位で、複数の受信系から出力されたデジタル信号のうち、より誤りの少ないほうのデジタル信号を選択して出力してもよい。
たとえば、２つ以上の受信系を設けてもよい。
【００４６】
【発明の効果】
本発明によれば、受信状態が悪い場合であっても、正確にデジタル信号を復調可能な受信装置、および通信システムを提供することができる。
【図面の簡単な説明】
【図１】本発明に係る通信システムの一実施の形態を示す全体構成図である。
【図２】図１に示した送信装置から送信されるデジタル信号のフォーマットの一具体例を示す図である。
【図３】従来の受信装置を有する通信システムの全体構成図である。
【符号の説明】
１…通信システム、２…送信装置、３…受信装置、３１−１…第１の受信系、３１−２…第２の受信系、３２−１，３２−２…ＲＦ増幅回路、３３−１，３３−２…周波数変換回路、３４−１，３４−２…ＩＦ増幅回路、３５−１，３５−２…復調回路、３６−１，３６−２…誤り訂正デコーダ、３７…選択回路、３８…Ｄ／Ａ、ＡＴ１，２…アンテナ。
【図１】
2004015259.tif 000003
【図２】
2004015259.tif 000004
【図３】
2004015259.tif 000005